(57)【特許請求の範囲】
【請求項１】
受給口に供給された液体をミストノズルに導くことによってミストの噴出が可能に構成されたミスト噴出機構と、
前記ミストノズルの向きが変化するように前記ミスト噴出機構を所定の中心軸周りに回転させるためのモータと、
前記ミスト噴出機構および前記モータの少なくとも一部を覆うカバーケースと、
このカバーケースの取付け用の一対のブラケットと、
を備えている、ミスト発生装置であって、
前記カバーケースは、前記ミストノズルに対応するノズル用開口部が形成されて前記中心軸と同方向に延びた前部を有し、かつ背面部が開口した形態とされており、
前記ミスト噴出機構および前記モータは、前記カバーケースの背面部の開口部分から前記カバーケース内に収容されて取り付けられており、
前記一対のブラケットの上部は、所望の箇所に固定して取り付けられ、かつ前記一対のブラケットの下部は、前記カバーケースの背面部の開口部分から前記カバーケースの長手方向両端部の内側に進入して前記カバーケースを支持していることにより、前記カバーケースは、前記一対のブラケットを介して前記所望の箇所の下方に吊り下げられており、
前記モータの駆動軸と前記ブラケットとの相対回転は阻止されており、前記モータの駆動時には、前記モータの本体部に伴って前記カバーケースおよび前記ミスト噴出機構が前記中心軸周りに回転するように構成されていることを特徴とする、ミスト発生装置。
【請求項２】
前記モータとして、２つのモータを備えており、
これら２つのモータは、前記中心軸が延びる方向において前記ミスト噴出機構を挟むように配され、かつこれら２つのモータの駆動力によって前記カバーケースが回転するように構成されている、請求項１に記載のミスト発生装置。
【請求項３】
前記カバーケースを前記ブラケットに対して前記所定の中心軸周りに相対回転可能に支持させるための手段として、前記２つのモータの各本体部を前記カバーケースに固定するとともに、前記２つのモータの各駆動軸を前記ブラケットに連結する手段が用いられている、請求項２に記載のミスト発生装置。
【請求項４】
前記ミストノズルは、前記カバーケースが回転する方向に対して交差する方向にもその向きを変更可能な構成とされている、請求項１ないし３のいずれかに記載のミスト発生装置。
【請求項５】
前記ミスト噴出機構は、前記ミストノズルとして、複数のミストノズルを備えており、
これら複数のミストノズルの全てに液体供給がなされる状態と、一部のみに液体供給がなされる状態とを切り換え可能なバルブをさらに備えている、請求項１ないし４のいずれかに記載のミスト発生装置。
【請求項６】
請求項１ないし５のいずれかに記載のミスト発生装置を備えていることを特徴とする、浴室空調機。
【発明の詳細な説明】
【技術分野】
【０００１】
本発明は、温水や水（非加熱の水）などのミストを発生させるのに用いられるミスト発生装置、およびこれを備えた浴室空調機に関する。
【背景技術】
【０００２】
ミスト発生装置としては、たとえば特許文献１の図７に記載されたものがある。このミスト発生装置は、ミストノズルが装着された管体の両端部が一対のブラケットに支持された構成を有している。前記管体の一端には、給水用の配管部が接続されており、この配管部から前記管体に給水がなされることによって、ミストノズルから水が霧状に噴出される。また、前記一対のブラケットの一方には、モータが取り付けられており、このモータの駆動軸が前記管体の他端に連結されていることにより、前記管体は前記モータの駆動力によって回転自在となっている。
【０００３】
このようなミスト発生装置によれば、一対のブラケットを利用して、この装置をたとえば浴室に設置されている浴室暖房機のハウジングケースに取り付けることができる。また、このような取り付け状態において、モータを駆動させて管体を回転させれば、ミストノズルの向きが変化することとなり、ミストの噴出位置を変更することができる。
【０００４】
しかしながら、前記従来技術においては、次に述べるように、改善すべき点があった。
【０００５】
すなわち、ミスト発生装置を浴室内に設置して使用する場合、ミストノズルが装着されている管体やモータなどが外部から不体裁に見えないようにすることが望まれる。また、モータなどの電気部品類に水が掛かるようなことも防止することも望まれる。このため、カバーケースを用いるなどして、前記各部を覆うことが考えられる。これに対し、前記従来技術において、カバーケースの取り付けを図るには、ミストノズルが装着されている管体やモータを一対のブラケットを用いて所望の箇所に取り付けた後に、これとは別作業でカバーケースを後付けする必要がある。したがって、この後付け作業が面倒であり、装置全体の取り付け作業が煩雑となる。
【０００６】
また、ミストノズルが装着されている管体をカバーケースで覆った場合、このカバーケースには、ノズル露出用の開口部を形成する必要があるが、ミスト噴出方向がたとえば上下方向に変更可能である場合、前記開口部を上下方向に延びた長孔状に形成する必要がある。前記開口部をそのような単なる長孔状にするだけであれば、全体の外観体裁をさほど損なうことはない。ところが、これとは異なり、たとえばミストノズルを上下方向のみならず、左右水平方向にも角度調整できるように構成したい場合には、ノズル露出用の開口部を単なる長孔状に形成するだけでは不十分であり、上下方向および左右水平方向のそれぞれに大きく開口した形状に形成しなければならない。これでは、装置の外観体裁が悪化したり、その開口部分から装置内に浸水を生じ易くなるといった不具合を生じる。
【０００７】
さらに、ミスト発生装置には、ミスト噴出量を調整するためのバルブやその他の付属機器を設けたい場合がある。これに対し、前記従来技術においては、そのような付属機器を、後付けされるカバーケースに取り付けることは困難であり、ミストノズルが装着されている管体やこれを支持するブラケットに取り付けざるを得ないこととなる。ところが、そのような部材に種々の付属機器を取り付けることは難しい場合があり、この点においても改善の余地があった。
【０００８】
【特許文献１】特開２００２−３３６１５５号公報
【発明の開示】
【発明が解決しようとする課題】
【０００９】
本発明は、前記したような事情のもとで考え出されたものであって、ミストの噴出方向をモータの駆動力によって変更し得る機能を有しながらも、所望の位置に容易な作業で体裁良く取り付けることが可能なミスト発生装置、およびこれを備えた浴室空調機を提供することを、その課題としている。
【課題を解決するための手段】
【００１０】
上記の課題を解決するため、本発明では、次の技術的手段を講じている。
【００１１】
本発明の第１の側面により提供されるミスト発生装置は、受給口に供給された液体をミストノズルに導くことによってミストの噴出が可能に構成されたミスト噴出機構と、前記ミストノズルの向きが変化するように前記ミスト噴出機構を所定の中心軸周りに回転させるためのモータと、前記ミスト噴出機構および前記モータの少なくとも一部を覆うカバーケースと、このカバーケースの取付け用の一対のブラケットと、を備えている、ミスト発生装置であって、前記カバーケースは、前記ミストノズルに対応するノズル用開口部が形成されて前記中心軸と同方向に延びた前部を有し、かつ背面部が開口した形態とされてお
り、前記ミスト噴出機構および前記モータは、前記カバーケースの背面部の開口部分から前記カバーケース内に収容されて取り付けられており、前記一対のブラケットの上部は、所望の箇所に固定して取り付けられ、かつ前記一対のブラケットの下部は、前記カバーケースの背面部の開口部分から前記カバーケースの長手方向両端部の内側に進入して前記カバーケースを支持していることにより、前記カバーケースは、前記一対のブラケットを介して前記所望の箇所の下方に吊り下げられており、前記モータの駆動軸と前記ブラケットとの相対回転は阻止されており、前記モータの駆動時には、前記モータの本体部に伴って前記カバーケースおよび前記ミスト噴出機構が前記中心軸周りに回転するように構成されていることを特徴としている。
【００１２】
このような構成によれば、モータを駆動させることによってミストノズルの向きが変化し、ミストの噴出方向を変更可能であることに加え、次に述べるような効果がさらに得られる。
【００１３】
第１に、カバーケースによってミスト噴出機構やモータを覆い隠すことができ、全体の見栄えを良好にすることが可能であるが、このカバーケースには、ミスト噴出機構やモータが搭載されており、これら全体がユニット化されている。このため、従来技術とは異なり、カバーケースをミスト噴出機構やモータとは別作業で所望位置に後付けする必要はなく、それら全体を一括して所望の位置へ取り付けることが可能となり、装置全体の取り付け作業は容易となる。
【００１４】
第２に、モータが駆動してミストノズルの向きが変更される場合、ミスト噴出機構およびカバーケースは、互いに相対回転することはなく、これらは一緒に回転する。したがって、ミストノズルの向きをたとえば上下に変更させる場合に、カバーケースに設けられるノズル露出用の開口部として、上下方向に延びた長孔状の開口部を形成する必要はなくなる。このため、ミストノズルをたとえば上下方向に加えて左右水平方向にも角度調整できるように構成したい場合には、ノズル露出用の開口部を単に左右水平方向に延びた長孔状に形成するだけでも十分となる。このように、本発明によれば、カバーケースにノズル露出用の開口部を形成する場合、この開口部を従来技術よりも小さくすることが可能であり、このことにより装置の見栄えを良くし、また装置内への浸水なども生じ難いものとすることができる。
【００１５】
第３に、ミスト噴出量を調整するためのバルブやその他の付属機器を設けたい場合には、この付属機器をカバーケースに搭載すればよいこととなる。したがって、付属機器の取り付けに際しても便利となる。
【００１６】
本発明の好ましい実施の形態においては、前記モータとして、２つのモータを備えており、これら２つのモータは、前記中心軸が延びる方向において前記ミスト噴出機構を挟むように配され、かつこれら２つのモータの駆動力によって前記カバーケースが回転するように構成されている。
【００１７】
このような構成によれば、ミスト噴出機構の片側にモータを１つだけ配置させて全体を回転させる場合と比較すると、１つのモータとしては低出力のものでよいこととなって、各モータのサイズを小さくすることができる。このように各モータのサイズを小さくすると、このモータを覆うカバーケース、ひいては装置全体をスリムな形態とすることができる。このため、取り付けスペースの縮小化や、外観体裁のさらなる向上を図ることが可能である。
【００１８】
本発明の好ましい実施の形態においては、前記カバーケースを前記ブラケットに対して前記所定の中心軸周りに相対回転可能に支持させるための手段として、前記２つのモータの各本体部を前記カバーケースに固定するとともに、前記２つのモータの各駆動軸を前記ブラケットに連結する手段が用いられている。
【００１９】
このような構成によれば、ブラケットに対してカバーケースを相対回転可能に支持させる構造が、２つのモータの駆動軸を利用して合理的に行なわれており、全体構造の簡素化を好適に図ることができる。
【００２０】
本発明の好ましい実施の形態においては、前記ミストノズルは、前記カバーケースが回転する方向に対して交差する方向にもその向きを変更可能な構成とされている。
【００２１】
このような構成によれば、ミストが噴出される位置をよりきめ細かく変更することが可能となる。
【００２２】
本発明の好ましい実施の形態においては、前記ミスト噴出機構は、前記ミストノズルとして、複数のミストノズルを備えており、これら複数のミストノズルの全てに液体供給がなされる状態と、一部のみに液体供給がなされる状態とを切り換え可能なバルブをさらに備えている。
【００２３】
このような構成によれば、ミスト噴出量を適宜変更することも可能となり、ユーザの要求に応じたミスト噴出を行なわせるのにより好ましいものとなる。
【００２４】
本発明の第２の側面により提供される浴室空調機は、本発明の第１の側面により提供されるミスト発生装置を備えていることを特徴としている。
【００２５】
このような構成によれば、本発明の第１の側面により提供されるミスト発生装置について述べたのと同様な効果が得られる。
【００２６】
本発明のその他の特徴および利点は、添付図面を参照して以下に行なう発明の実施の形態の説明から、より明らかになるであろう。
【発明を実施するための最良の形態】
【００２７】
以下、本発明の好ましい実施の形態を、図面を参照して具体的に説明する。
【００２８】
図１〜図６は、本発明が適用されたミスト発生装置の一例およびこれに関連する構成を示している。本実施形態のミスト発生装置ＭＧは、図１および図２によく表われているように、カバーケース１、ミスト噴出機構Ａ、２つのモータＭ、および一対のブラケット２Ａ，２Ｂを具備している。
【００２９】
カバーケース１は、たとえばＡＢＳ樹脂などの合成樹脂製であり、一定方向に延びた形態を有している。このカバーケース１の背面部（図１および図２の手前側）は開口しており、この開口部分からカバーケース１の内部にミスト噴出機構ＡやモータＭを収容させて取り付けることができるようになっている。
【００３０】
一対のブラケット２Ａ，２Ｂは、後述するように、このミスト発生装置ＭＧを浴室暖房機やその他の所望箇所に吊り下げて取り付けるためのものであり、たとえばステンレス製などの金具である。これらのブラケット２Ａ，２Ｂは、ともに略水平に設定される水平板部２０と、この水平板部２０からその下方に延びた垂下部２１とを有している。
【００３１】
ミスト噴出機構Ａは、接続具３０の受給口３０ａに供給されてきた湯水（温水または非加熱の水）を複数のミストノズル３１に導き、カバーケース１の前方に向けてミストを噴出する機能を備えている。このミスト噴出機構Ａは、接続具３０に配管部３２を介して連結された回転自在継手３３、開閉バルブＶａ、およびこれら開閉バルブＶａや回転自在継手３３に対して複数のミストノズル３１を接続する複数の配管部３４を具備している。このミスト噴出機構Ａは、複数の配管部３４に設けられているブラケット部３５がネジ体９１を利用してカバーケース１の複数箇所にネジ止めされていることにより、カバーケース１に固定されて搭載されている。図面には示されていないが、好ましくは、回転自在継手３３や開閉バルブＶａについても、カバーケース１に対してネジ止めされている。なお、接続具３０については、ネジ体９２を利用してブラケット２Ａに固定されている。接続具３０に接続された配管部３２には、回転自在継手３３が連結されているために、ミスト噴出機構Ａのうち、接続具３０や配管部３２以外の部分については、回転自在継手３３の回転中心となる中心軸Ｃ１周りにカバーケース１と一緒に回転させることが可能である。
【００３２】
複数のミストノズル３１は、カバーケース１の長手方向に適当な間隔を隔てて並んでおり、図３に示すように、カバーケース１の前部１０ａに設けられている複数のノズル用開口部１１からその前方に向けてミスト噴出が可能に設けられている。ミストノズル３１としては、２種類のものが用いられている。より具体的には、カバーケース１の幅方向両端部寄りのミストノズル３１ａは、幅方向中央部寄りのミストノズル３１ｂよりもミスト噴出量が多いものとされている。噴出されるミストの粒径は、ミストノズル３１ｂの方がミストノズル３１ａよりも微小である。
【００３３】
ミスト噴出機構Ａは、図４に模式的に示すような配管構造とされており、開閉バルブＶａが開状態の際には、受給口３０ａに供給された湯水がミストノズル３１ａ、３１ｂの全てに導かれて噴出される。これに対し、開閉バルブＶａが閉状態の際には、ミストノズル３１ａへの給水が阻止されて、ミストノズル３１ｂのみからミスト噴出が行なわれるようになっている。
【００３４】
図５（ａ），（ｂ）に示すように、ミストノズル３１は、配管部３４に連結されており、この配管部３４から内部に進行してきた湯水を先端のノズル口３１０からミストとして噴出可能である。ミストノズル３１内に流入した湯水をミスト化する原理は、従来のミストノズルと同様であり、たとえばミストノズル３１内において湯水の高速旋回流を生じさせて、これを内径の小さい流路に導いて絞りつつ、その開口部から噴出させる方式である。ミストノズル３１は、配管部３４の起立部３４ａに対して、この起立部３４ａの中心軸Ｃ２を中心として回転可能に設けられている。このことにより、ノズル口３１０の向きを左右方向（カバーケース１の長手方向）に変更させることが可能である。
【００３５】
ノズル口３１０の向きを安定させるための手段として、カバーケース１には、複数の凹部を有する被係合部１２が一体または別体に設けられ、かつミストノズル３１には、凸部３５ａを有する係合部材３５が取り付けられている。ミストノズル３１を回転させた際に、係合部材３５の凸部３５ａを被係合部１２のいずれかの凹部に係入させることによって、ミストノズル３１が不用意に回転しないように位置決め可能である。図３に示すように、ノズル用開口部１１は、カバーケース１の長手方向に延びた長孔状とされ、ミストノズル３１の向きが左右いずれに変更されてもカバーケース１の前方にミストを適切に噴出し得るようになっている。なお、ミストノズル３１の向きを変更するには、カバーケース１の前面側から作業者またはユーザなどが、指あるいは適当な部材を用いて、ミストノズル３１の先端部を押圧し、回転させればよい。
【００３６】
図１および図２に示すように、２つのモータＭは、カバーケース１の長手方向両端部内に収容され、かつネジ体９３を用いてカバーケース１に固定されており、それらの駆動軸７０の中心は、中心軸Ｃ１と一致している。また、２つのモータＭは、ともに駆動軸７０がこのモータＭの本体部７１よりもカバーケース１の長手方向外方に位置する姿勢に設定されているとともに、ブラケット２Ａ，２Ｂに対して駆動軸７０が連結された構成とされている。この連結により、２つのモータＭがブラケット２Ａ，２Ｂに支持されて、カバーケース１やミスト噴出機構Ａについても、ブラケット２Ａ，２Ｂに間接的に支持された状態となっている。また、前記連結は、後述するように、ブラケット２Ａ，２Ｂと駆動軸７０との相対回転が阻止されるようになされている。このことにより、モータＭの駆動時にはモータＭの本体部７１がカバーケース１と共に回転するようになっている。
【００３７】
モータＭの駆動軸７０とブラケット２Ａとの具体的な連結手段としては、たとえば図６（ａ），（ｂ）に示すような手段が用いられている。すなわち、駆動軸７０には、連結用のキャップ７３が相対回転不能に装着されており、このキャップ７３が、ブラケット２Ａの垂下部２１の孔部２２に挿通することにより、駆動軸７０とブラケット２Ａとの連結が図られている。ただし、キャップ７３は、その先端部に形成されたフランジ７３ａ、このフランジ７３ａに隣接する幅狭部としての切欠部７３ｂ、およびこれに隣接する非切欠部７３ｃを有している。これに対し、孔部２２の上部２２ａと下部２２ｂとは、その形状およびサイズが相違しており、たとえば上部２２ａは円形状であるのに対し、下部２２ｂはそれよりも幅狭な矩形状である。駆動軸７０をブラケット２Ａに連結する作業手順としては、まず同図（ａ）の矢印Ｎ１に示すように、駆動軸７０に装着されたキャップ７３のフランジ７３ａを、孔部２２の上部２２ａに挿通させる。次いで、矢印Ｎ２に示すように、キャップ７３を下降させて切欠部７３ｂを下部２２ｂに進入させる。このような作業を行なうと、切欠部７３ｂと下部２２ｂとの嵌合作用により、キャップ７３および駆動軸７０がブラケット２Ａに対して相対回転不能な状態に連結され、かつモータＭがブラケット２Ａに支持される。キャップ７３のフランジ７３ａおよび非切欠部７３ｃは、垂下部２１をその厚み方向において挟むために、キャップ７３が垂下部２１の厚み方向に位置ずれすることも適切に規制される。詳細な説明は省略するが、他方のブラケット２Ｂに対するモータＭの駆動軸７０の連結構造も、前記したのと同様である。
【００３８】
図７〜図１０は、前記したミスト発生装置ＭＧを備えた浴室暖房機の一例を示している。
【００３９】
図８によく表われているように、本実施形態の浴室暖房機Ｂは、浴室の側壁９０に取り付けて使用される壁掛け型であり、ケース５０内に、熱交換器５１および吸排気用のファン５２が収容された構成を有している。ケース５０は、浴室の側壁９０に対して取付板８を利用して取り付けられる。より具体的には、取付板８は、ネジ体９４を用いて側壁９０に固定されている。ケース５０の背面部には、取付板８の上部の係合用突起８０に係合可能な係合部５０ａが形成されており、これらの係合によってケース５０は取付板８に掛止されている。ケース５０の背面部の下部には、取付板８の下部の受板部８１とネジ体９５を介して連結されるブラケット片部５０ｂが形成されており、これらの連結によってケース５０が取付板８に対して安定的に取り付けられている。
【００４０】
ケース５０の上壁部５０ｃは複数の吸気口５０ｄを有する吸気グリルであり、ファン５２が駆動すると、浴室の空気は吸気口５０ｄからケース５０内に流入して熱交換器５１によって加熱され、その後ケース５０の前面下部に設けられたルーバ５３の送風口５３ａから浴室に向けて送風されるようになっている。熱交換器５１は、たとえばファン５２の周囲を囲む複数のブロック５１ａ〜５１ｃに区分されているが、これらはともにフィン付きチューブを用いて構成されており、このチューブ内に温水が供給されることによって空気加熱が可能である。
【００４１】
ミスト発生装置ＭＧは、ブラケット２Ａ，２Ｂを介してケース５０の下部に取り付けられている。より具体的には、図１０に示すように、ケース５０の幅方向両端部の下部には、一対の溝部５４ａを形成する支持部５４が設けられている。一対の溝部５４は、後部（図１０の手前側）および内側部がそれぞれ開口している。ブラケット２Ａ，２Ｂの各水平板部２０は、各溝部５４ａに対してその後部の開口部分から挿入される。このことにより、図９に示すように、支持部５４にブラケット２Ａ，２Ｂが掛止される。ブラケット２Ａ，２Ｂは、ネジ体９６を用いて支持部５４に固定され、その取り付けの確実化が図られる。このようなブラケット２Ａ，２Ｂの固定により、ミスト発生装置ＭＧは、浴室暖房機Ｂのケース５０の下方に配置されている。なお、ミスト発生装置ＭＧの受給口３０ａに対しては、ケース５０の背後において適当な配管５９が接続され、湯水供給が可能となっている。
【００４２】
次に、ミスト発生装置ＭＧを備えた浴室暖房機Ｂの作用について説明する。
【００４３】
まず、ミスト発生装置ＭＧのカバーケース１には、ミスト噴出機構ＡやモータＭが搭載されており、これらはユニット化されている。このため、このミスト発生装置ＭＧを浴室暖房機Ｂのケース５０に取り付けるには、ブラケット２Ａ，２Ｂをケース５０に固定させるだけでよく、たとえばミスト噴出機構ＡやモータＭをケース５０に取り付けた後にカバーケース１を後付けするような必要はない。このため、ミスト発生装置ＭＧの取り付け作業は非常に容易となる。もちろん、カバーケース１によってミスト噴出機構ＡやモータＭを覆い隠すことができるために、全体の見栄えも良好なものにすることができる。また、ミスト噴出機構Ａは、多くの部品から構成されているが、これらの部品については、必要に応じてカバーケース１に適宜ネジ止めすることも可能であり、ミスト噴出機構Ａの各部の取り付けも確実なものとすることができる。
【００４４】
２つのモータＭを駆動させると、カバーケース１は図１に示した中心軸Ｃ１を中心として回転する。このことにより、ミストノズル３１もカバーケース１に伴って回転することとなり、ミストノズル３１からのミストの噴出方向を上下に変化させることができる。モータＭを一定角度で正転および逆転させてカバーケース１をスイングさせる制御も可能である。加えて、図３および図５を参照して説明したように、ミストノズル３１の向きは、左右水平方向にも変化させることができる。このため、ユーザが要望する場所にミストをより適切に噴出することが可能となる。さらに、図４を参照して説明したとおり、ミストノズル３１ａ，３１ｂの全てからミストを噴出させる状態と、ミストノズル３１ｂのみからミストを噴出させる状態とを切り換えて、ユーザが要望するミスト噴出量を得ることもできる。
【００４５】
ミストの噴出方向を上下に変化させる場合、ミストノズル３１とカバーケース１との相対動はないために、ノズル用開口部１１としては、上下に延びた長孔に形成する必要はない。本実施形態においては、ノズル用開口部１１を横長状に形成しているが、このノズル用開口部１１を上下方向にも長く形成する必要がない分だけ、このノズル用開口部１１のサイズを比較的小さくし、体裁が良く、また外部の水がノズル用開口部１１に進入するような虞も生じ難いものにすることができる。
【００４６】
カバーケース１を回転させる手段として、２つのモータＭが用いられている。このため、各モータＭとしては比較的出力の小さい、小サイズのものを用いることができる。したがって、カバーケース１のうち、モータＭが収容されている部分を大きなサイズに形成する必要がなくなり、カバーケース１をその全長域にわたって細幅な形態とし、体裁が良く、かつ大きな取り付けスペースを占有しないものにすることができる。また、２つのモータＭは、カバーケース１の長手方向両端部に設けられているために、このモータＭが駆動してカバーケース１が回転する際に、カバーケース１に大きな捩じり力を生じないようにする効果も期待できる。さらに、２つのモータＭの駆動軸７０がブラケット２Ａ，２Ｂに対する連結部材としての役割をも果たしているために、ブラケット２Ａ，２Ｂに対するカバーケース１の支持構造が合理的となり、全体の部品点数の少数化を図るのにも好適となる。なお、２つのモータＭは、その取り付け姿勢(向き)が相違するために、これらを駆動させてカバーケース１を回転させる場合には、２つのモータＭを互いに反対方向に回転させる制御（一方を正転させるときには、他方を逆転させる制御）を行なうこととなる。
【００４７】
本発明は、上述した実施形態の内容に限定されない。本発明に係るミスト発生装置、およびミスト発生装置を備えた浴室空調機の各部の具体的な構成は、種々に設計変更自在である。
【００４８】
たとえば、ミスト噴出機構は、受給口に供給された液体をミストノズルに導いてミストを噴出する機能を有していればよく、ミストノズルの具体的な数や配置などは問わない。本発明でいうミストノズルとは、液体をミストとして噴霧する部材または部分を意味しており、液体をミスト化するための具体的な原理や構造は問わない。カバーケースなどを回転させるためのモータについては、上述した実施形態から理解されるように、２つのモータを用いることが好ましいものの、１つのモータのみを用いた構成とすることもできる。カバーケースは、ミスト噴出機構やモータの少なくとも一部を覆うとともに、これらを搭載していればよく、やはりその具体的な形状なども限定されない。カバーケースは、ブラケットに対して相対回転可能に支持される必要があり、この支持手段としてモータの駆動軸をカバーケースに連結させることが好ましいものの、やはりこれに限定されない。たとえば、カバーケースがモータの駆動軸とは別の適当な軸体を利用してブラケットに支持された構成とすることもできる。
【００４９】
本発明においては、モータの駆動時には、カバーケースおよびミスト噴出機構が所定の中心軸周りに回転するが、この「回転」は、必ずしも、カバーケースやミスト噴出機構の全ての構成要素が回転することを意味するものではない。たとえば、上述の実施形態においては、受給口３０ａを有する接続具３０や、これに連結された配管部３２は、ミスト噴出機構Ａを構成するものの、これらは回転しない。本発明は、このように回転しない部分が一部に存在してもよい。
【００５０】
本発明に係るミスト発生装置は、壁掛け型の浴室空調機に代えて、天井設置型の浴室空調機に取り付けて使用することもできる。したがって、本発明に係る浴室空調機としても、たとえば天井設置型のものとして構成することができる。なお、本発明に係るミスト発生装置は、浴室空調機に取り付けることに代えて、浴室の天井部分や側壁部分などに取り付けて使用することもできることは言うまでもない。
【図面の簡単な説明】
【００５１】
【図１】本発明に係るミスト発生装置の一例を示す背面側の斜視図である。
【図２】図１に示すミスト発生装置の分解斜視図である。
【図３】図１に示すミスト発生装置の正面側の斜視図である。
【図４】図１に示すミスト発生装置を構成するミスト噴出機構の配管構造を模式的に示す説明図である。
【図５】（ａ）は、図１に示すミスト発生装置のミストノズルの装着箇所の構造を示す要部正面断面図であり、（ｂ）は、（ａ）のＶ−Ｖ断面図である。
【図６】（ａ）は、ブラケットに対するモータの取り付け構造の一例を示す分解斜視図であり、（ｂ）は、その組み立て状態を示す斜視図である。
【図７】図１に示すミスト発生装置が取り付けられた浴室空調機の一例を示す斜視図である。
【図８】図７に示す浴室空調機の模式的断面図である。
【図９】図７に示す浴室空調機の背面側の構造を示す斜視図である。
【図１０】図９の分解斜視図である。
【符号の説明】
【００５２】
ＭＧ    ミスト発生装置
Ａ      ミスト噴出機構
Ｂ      浴室暖房機（浴室空調機）
Ｍ      モータ
Ｖａ    開閉バルブ
Ｃ１    回転中心軸（カバーケースなどの）
１      カバーケース
２Ａ，２Ｂ    ブラケット
３０ａ  受給口
３１    ミストノズル
７０    駆動軸（モータの）
７１    本体部（モータの）
【図１】
0005076174.tif 000002
【図２】
0005076174.tif 000003
【図３】
0005076174.tif 000004
【図４】
0005076174.tif 000005
【図５】
0005076174.tif 000006
【図６】
0005076174.tif 000007
【図７】
0005076174.tif 000008
【図８】
0005076174.tif 000009
【図９】
0005076174.tif 000010
【図１０】
0005076174.tif 000011